(57)【要約】  インプラント装置（１１０）は、ハウジング（１４０）と、ハウジング中に配置されたエネルギー受信要素（１１５）とを有する。エネルギー受信要素（１１５）は、エネルギー消費装置（１６５）に電気的に接続されるように構成されている。インプラント装置（１１０）は、人間又は人間以外の動物の身体内に装着されるように構成されている。ハウジング（１４０）は、動物の皮膚（１２０）を通ってアクセス可能であり、エネルギー送信要素（１３５）を含む外部充電器（１３０）の対応する相手部材（１９０）を受けるように構成された特徴（１８０）を有する。エネルギー受信要素（１１５）は、外部充電器（１３０）がハウジング（１４０）と噛み合ったときにエネルギー送信要素（１３５）からエネルギーをワイヤレスで受信するように構成されている。
2017528246.tif 000002
【特許請求の範囲】
【請求項１】
ハウジングと、
前記ハウジング中に配置され、エネルギー消費装置に電気的に接続されるように構成されたエネルギー受信要素とを具備するインプラント装置であって、
前記インプラント装置は、動物の身体内に装着されるように構成され、
前記ハウジングは、前記動物の皮膚を通ってアクセス可能であり、エネルギー送信要素を含む外部充電器の対応する相手部材を受けるように構成された特徴を有し、
前記エネルギー受信要素は、前記外部充電器が前記ハウジングと噛み合ったときに前記エネルギー送信要素からエネルギーをワイヤレスで受信するように構成されている、インプラント装置。
【請求項２】
前記エネルギー受信要素は、第１のコイルを有し、前記エネルギー送信要素は、第２のコイルを有し、前記第１のコイル及び前記第２のコイルは、それらの間でエネルギーを誘導的に送信するように構成されている、請求項１に記載のインプラント装置。
【請求項３】
前記ハウジングの前記特徴は、前記動物の皮膚を越えて突出する、請求項１に記載のインプラント装置。
【請求項４】
前記ハウジングの前記特徴は、窪みを含み、前記対応する相手部材は、前記窪みと噛み合うように構成されたボタンを含む、請求項１に記載のインプラント装置。
【請求項５】
前記エネルギー受信要素は、ＲＦアンテナを有する、請求項１に記載のインプラント装置。
【請求項６】
前記エネルギー受信要素は、超音波受信器を有する、請求項１に記載のインプラント装置。
【請求項７】
前記エネルギー受信要素は、光受信器を有する、請求項１に記載のインプラント装置。
【請求項８】
前記ハウジングは、それと前記外部充電器を取り外し可能に取り付けるように構成されている、請求項１に記載のインプラント装置。
【請求項９】
前記ハウジングは、前記外部充電器を前記ハウジングに取り外し可能に取り付けるための接着剤の層を含む、請求項８に記載のインプラント装置。
【請求項１０】
前記ハウジング中に配置された前記エネルギー消費装置をさらに具備する、請求項１に記載のインプラント装置。
【請求項１１】
動物の身体内に少なくとも部分的に装着されるように構成され、第１のハウジングを有するインプラント装置と、
前記第１のハウジング中に配置され、エネルギー消費装置に電気的に接続されるように構成されたエネルギー受信要素とを具備するワイヤレスエネルギー伝達システムであって、
前記第１のハウジングは、前記動物の皮膚を通ってアクセス可能であるように構成された特徴を有し、
前記システムは、さらに、
第２のハウジングを有する外部充電装置と、
前記第２のハウジング中に配置され、エネルギー源に電気的に接続されるよう構成されたエネルギー送信要素とを具備し、
前記第２のハウジングは、前記第１のハウジングの前記特徴と噛み合うように構成された相手部材を有し、前記第１のハウジングと前記第２のハウジングとが互いに噛み合ったとき、前記エネルギー送信要素は、前記エネルギー受信要素にエネルギーをワイヤレスで送信するように位置合わせされる、ワイヤレスエネルギー伝達システム。
【請求項１２】
前記第１のハウジング中に配置され、前記エネルギー受信要素に電気的に接続される前記エネルギー消費装置をさらに具備する、請求項１１に記載のワイヤレスエネルギー伝達システム。
【請求項１３】
前記相手部材が前記第１のハウジングの前記特徴と噛み合ったときに前記第１のハウジングを前記第２のハウジングに取り付けるための手段をさらに具備する、請求項１１に記載のワイヤレスエネルギー伝達システム。
【請求項１４】
前記手段は、前記第１のハウジングを前記第２のハウジングに取り付けるように構成された接着層を含む、請求項１３に記載のワイヤレスエネルギー伝達システム。
【請求項１５】
前記手段は、前記第１のハウジング中に配置された第１の磁石と、前記第２のハウジング中の第２の磁石とを有する、請求項１３に記載のワイヤレスエネルギー伝達システム。
【請求項１６】
前記手段は、前記第１のハウジング及び前記第２のハウジングを互いに取り付けるためのバヨネット・ナットコネクタを含む、請求項１３に記載のワイヤレスエネルギー伝達システム。
【請求項１７】
前記手段は、前記第１のハウジング及び前記第２のハウジングを互いに取り付けるためのラッチ機構を含む、請求項１３に記載のワイヤレスエネルギー伝達システム。
【請求項１８】
前記第１のハウジング及び前記第２のハウジングは、それらの間の遠隔データ通信のために構成されている、請求項１１に記載のワイヤレスエネルギー伝達システム。
【発明の詳細な説明】
【技術分野】
【０００１】
関連出願の相互参照  
［０００１］本出願は、ワイヤレスエネルギー伝達及び外部位置合わせ特徴を備えた埋め込み装置と題された、２０１４年９月１８日に出願された米国仮出願番号第６２／０５２，１６３号の出願日の利益を主張し、その開示内容が参照としてここに組み込まれる。
【０００２】
［０００２］本発明は、ワイヤレスエネルギー伝達を備えた埋め込み装置に関する。
【背景技術】
【０００３】
［０００３］人間又は人間以外の動物の器官、あるいは器官の代用物を支援するために埋め込み医療装置を提供することがしばしば必要である。このような埋め込み装置の例は、心臓のポンピング機能の一部又は全てを受け継ぐために患者の身体の中に埋め込まれた補助心臓装置（ＶＡＤ）や他の心室補助装置及び人工心臓ポンプを含む。装置は患者の身体内に埋め込まれるが、このような装置は、埋め込まれた、又は外部の電源からエネルギーを供給されることができる。埋め込まれた電源は、一般に、サイズや重さなどの制約により電力容量を制限する。したがって、内部電源が、連続的に、あるいは頻繁に、増やされるか充電される必要がありうる。埋め込まれた装置に断続的に、あるいは常時電力を供給するための通常の方法は、１対の誘導コイルを使用するものである。二次、すなわち受信コイルが身体内に埋め込まれる。一次、すなわち充電コイルが、経皮エネルギー伝達（ＴＥＴ）のために受信コイルと外的に位置合わせされることができる。
【０００４】
［０００４］ＴＥＴは、直接的な電気接続なしで皮膚を横切る電力伝達を含む。電力が皮膚を通して送信されるので、送信される電力量は、皮膚を損傷しないようにするために制限されうる。一次コイルと二次コイルとの間の効率的な電力の伝達は、それらの間の適切な向き及び位置合わせを必要とするが、二次コイルが皮膚の下に埋め込まれているので、それを得るのは難しいことがある。以下に述べられる実施形態は、これら欠点の１以上を緩和することができる。
【発明の概要】
【０００５】
［０００５］本発明の一実施形態は、ハウジングと、前記ハウジング中に配置されたエネルギー受信要素とを有するインプラント装置である。前記エネルギー受信要素は、エネルギー消費装置に電気的に接続されるように構成されている。インプラント装置は、動物の身体内に装着されるように構成されている。前記ハウジングは、動物の皮膚を通ってアクセス可能であり、エネルギー送信要素を含む外部充電器の対応する相手部材を受けるように構成された特徴を有する。前記エネルギー受信要素は、前記外部充電器が前記ハウジングと噛み合ったときに前記エネルギー送信要素からエネルギーをワイヤレスで受信するように構成されている。
【０００６】
［０００６］本発明の一態様によれば、ワイヤレスエネルギー伝達システムは、インプラント装置と、外部充電器とを有する。前記インプラント装置は、動物の身体内に少なくとも部分的に装着されるように構成されている。インプラント装置は、第１のハウジングと、前記第１のハウジング中に配置されたエネルギー受信要素とを有する。前記エネルギー受信要素は、エネルギー消費装置に電気的に接続されるように構成されている。前記第１のハウジングは、前記動物の皮膚を通ってアクセス可能であるように構成された特徴を有する。前記外部充電器は、第２のハウジングと、前記第２のハウジング中に配置されたエネルギー送信要素とを有する。前記エネルギー送信要素は、エネルギー源に電気的に接続されるように構成されている。前記第２のハウジングは、前記第１のハウジングの前記特徴と噛み合うように構成された相手部材を有する。前記第１のハウジングと前記第２のハウジングとが互いに噛み合ったとき、前記エネルギー送信要素は、前記エネルギー受信要素にエネルギーをワイヤレスで送信するように位置合わせされる。
【０００７】
［０００７］本発明のさまざまな実施形態が添付図面を参照して説明される。図面は単に本発明のいくつかの実施形態を描いたものであり、それ故、その範囲を限定するものと考えられるべきでない。
【図面の簡単な説明】
【０００８】
【図１】［０００８］図１は、本開示の一実施形態による、外部位置合わせ特徴を有するワイヤレスエネルギー伝達システムの概要を示す図である。
【図２】［０００９］図２は、本開示の他の実施形態による、外部位置合わせ特徴を有するワイヤレスエネルギー伝達システムの概要を示す図である。
【図３Ａ】［００１０］図３Ａは、本開示の一実施形態による、外部充電器をインプラント装置に取り付けるための接着層を有するワイヤレスエネルギー伝達システムの斜視図である。
【図３Ｂ】［００１１］図３Ｂは、図３Ａのシステムの横断面図である。
【発明を実施するための形態】
【０００９】
［００１２］以下の説明は、本発明の詳細、さまざまな態様及び実施形態を述べる。この説明は、本発明をこれらの特定の態様あるいは実施形態に限定するものと解釈されるべきでない。それどころか、当業者は、多くの他の態様及び実施形態を同様に認識し、それも本発明の範囲内にある。
【００１０】
［００１３］図面に示される本発明の実施形態を述べる際、明瞭さのために特定の術語が使用される。説明目的のために、本発明は、一般に、埋め込み装置に関してここに説明される。しかしながら、本発明は、そのように選択された特定の用語に限定されることを意図していない。
【００１１】
［００１４］図１を参照して、ワイヤレスエネルギー伝達システム１００が概略的に示される。システム１００は、皮膚１２０の下に埋め込まれたインプラント装置１１０と、外部充電器１３０とを有する。インプラント装置１１０は、ハウジング１４０中に配置されたエネルギー受信要素１１５を含み、外部充電器１３０は、ハウジング１５０中にエネルギー送信要素１３５を含む。図示される実施形態では、リード線１６０が、電力消費装置にエネルギーを供給するために、インプラント装置２１０から、動物の身体の中に埋め込まれたエネルギー消費装置１６５まで延びている。他の実施形態では、エネルギー消費装置１６５も、インプラント装置のハウジング１４０中に配置されることができる。
【００１２】
［００１５］インプラント装置１１０は、ハウジング１４０の少なくとも一部１７０が皮膚の開口１２５を通って皮膚を越えて突出するように、皮膚１２０の下に埋め込まれている。図示される実施形態では、一部１７０が皮膚１２０を越えて突出しているが、他の実施形態では、ハウジングの一部は、皮膚とほぼ同じ高さにあり、外部充電器にアクセス可能であってよい。突出部分１７０は、所定の幾何形状を有する特徴１８０を含む。同様に、ハウジング１５０は、相手部材１９０を有する。相手部材１９０は、特徴１８０に相補的な幾何形状を有しており、これにより、相手部材は、互いに付勢されたときに突出部分１６０の特徴と噛み合う。代表的な形態では、特徴１８０は、窪みの形態をとり、相手部材１９０は、窪みを補完するために対応するように形作られている。したがって、特徴１８０が、インプラント装置１１０のハウジング１４０に対する外部充電器１３０のハウジング２５０の機械的な位置合わせを支援する。
【００１３】
［００１６］図２を参照して、本開示の他の実施形態によるワイヤレスエネルギー伝達システム２００が示される。システム２００は、皮膚１２０の下に埋め込まれたインプラント装置２１０と、外部充電器２３０とを有する。インプラント装置２１０は、特徴２８０を有するハウジング２４０を有する。外部充電器２３０は、相手部材２９０を有するハウジング２５０を有する。図２に示されるように、インプラント装置２１０の特徴２８０は、ソケットのようなコネクタの形態をとり、外部充電器２３０の相手部材２９０は、ソケットのようなコネクタにより取り付けて収容されるように構成されたボタンの形態をとる。したがって、特徴２８０は、インプラント装置２１０のハウジング２４０に対する外部充電器２３０のハウジング２５０の機械的な位置合わせを支援する。
【００１４】
［００１７］図１並びに図２の両方を参照して、インプラント装置１１０、２１０は、エネルギー受信要素１１５を有し、外部充電器１３０、２３０は、エネルギー送信要素１３５を有する。エネルギー送信要素１３５は、エネルギーをワイヤレスで送信するように構成されており、対応するエネルギー受信要素１１５は、エネルギーをワイヤレスで受信するように構成されている。代表的な実施形態では、エネルギー送信要素１３５は、トランスの一次コイルの形態をとり、エネルギー受信要素１１５は、トランスの二次コイルの形態をとる。要素１１５、１３５が互いに位置合わせされたとき、エネルギーは、周知技術であるようにして、誘導によってワイヤレスで伝達されることができる。特徴１８０、２８０、及び相手部材１９０、２９０は、エネルギー送信要素１３５とエネルギー受信要素１１５との間の適切な位置合わせを確実にするように形成されている。
【００１５】
［００１８］他の実施形態では、エネルギー受信要素２１５は、ＲＦアンテナの形態をとることができ、エネルギー送信要素１３５は、ＲＦ送信器の形態をとることができる。したがって、外部充電器１３０、２３０とインプラント装置１１０、２１０との間のエネルギー伝達は、ＲＦ送信によって引き起こされることができる。他の実施形態では、エネルギー受信要素１１５は、超音波受信器の形態をとることができ、エネルギー送信要素１３５は、超音波発信器の形態をとることができる。この形態では、外部充電器１３０、２３０とインプラント装置１１０、２１０との間のエネルギー伝達は、超音波送信によって達成されることができる。
【００１６】
［００１９］さらなる実施形態では、エネルギー受信要素１１５は、光受信器の形態をとることができ、エネルギー送信要素１３５は、光学エネルギーによってエネルギーを伝達するために光送信器、例えば、レーザー、発光ダイオードの形態をとることができる。このように、本開示の範囲を逸脱することなく、外部充電器からインプラントにエネルギーを伝達するためのワイヤレスエネルギーのさまざまなモードが使用されてよいことが理解される。
【００１７】
［００２０］図３Ａ並びに図３Ｂを参照して、本開示の他の実施形態によるワイヤレスエネルギー伝達システム３００が示される。システム３００は、インプラント装置３１０と、外部充電器３３０とを有する。インプラント装置３１０は、皮膚１２０を越えて突出する特徴３７０を有する。外部充電器３３０は、相手部材３９０を有する。システム３００は、さらに、接着層４１０を有する。接着層４１０は、一方では、特徴３７０及び周囲の皮膚の一部に、他方では、外部の充電器３３０のハウジング３５０の少なくともいくつかの部分に付着するように構成されている。接着層４１０は、外部充電器３３０が特徴３７０と取り外し可能に取り付けられるようにして位置合わせされることを確実にする。したがって、エネルギー受信要素１１５は、これら間のワイヤレスエネルギー移動を容易にするように、エネルギー送信要素１３５と位置合わせされることができる。
【００１８】
［００２１］外部充電器１３０、２３０、３３０のそれぞれのハウジング１５０、２５０、３５０、及び、インプラント装置１１０、２１０、３１０のそれぞれのハウジング１４０、２４０、３４０は、エネルギー送信要素１３５とエネルギー受信要素１１５との間の適切な位置合わせを確実にするように構成されている。代表的な実施形態では、ハウジング１５０、２５０、３５０及びハウジング１４０、２４０、３４０の各々は、ハウジング間の適切な位置合わせを支援し確実にするために、磁石を含むことができる。他の実施形態では、ハウジング１５０、２５０、３５０のうちの一方が、ラッチ機構を含み、ハウジング１４０、２４０、３４０の他方が、ラッチ機構を受けて取り付ける相手方の受け部材を含む、あるいは、その逆であることができ、これにより、所望の位置合わせでハウジングを互いに取り付けることができる。他の実施形態では、ハウジング１５０、２５０、３５０及びハウジング１４０、２４０、３４０は、所望の形態でハウジングを互いに位置合わせして取り付けるために、これらの間のバヨネット・ナット型のコネクタ又はカップリングを含むことができる。このように、本開示の範囲から逸脱することなく、ハウジング１５０、２５０、３５０を対応するハウジング１４０、２４０、３４０と機械的に位置合わせして取り付けるためにさまざまな代替形態が使用されてよいことが理解される。
【００１９】
［００２２］本開示の一実施形態では、外部充電器１３０、２３０、３３０及びインプラント装置１１０、２１０、３１０は、それらの間の遠隔データ通信のために構成されることができる。例えば、インプラント装置１１０、２１０、３１０のハウジング１４０、２４０、３４０のうちの１つ、あるいは、外部充電器１３０、２３０、３３０のハウジング１５０、２５０、３５０は、ハウジング１５０、２５０、３５０が対応するハウジング１４０、２４０、３４０と適切と噛み合うかを検出するためのセンサを含むことができる。インプラント装置１１０、２１０、３１０の他方のハウジング１４０、１５０、３５０、あるいは、外部充電器１３０、２３０、３３０のハウジング１５０、２５０、３５０は、センサによって発生された信号を受信するための受信器を含むことができる。さらに、外部充電器１３０、２３０、３３０及びインプラント装置１１０、２１０、３１０は、これら間の一方向又は双方向のデータ通信のために構成されることができる。例えば、インプラント装置１１０、２１０、３１０は、電力消費装置の状態を示す信号を発生して送信するためのプロセッサ及び送信器を含むことができ、外部充電器１３０、２３０、３３０は、プロセッサと、信号を受信するための受信器を含むことができる。したがって、外部充電器とインプラント装置との間でエネルギーがワイヤレスで送信されることができ、本開示の範囲から逸脱することなく、２つの間で無線又は有線でデータ通信することができる。
【００２０】
［００２３］本発明が特定の実施形態を参照して説明されたが、これらの実施形態が本発明の原理及び適用形態を単に図示するものであることが理解される。それ故、多くの変更が図示される実施形態になされることができ、他の構成が、添付の特許請求の範囲に規定されるような本発明の意図及び範囲を逸脱することなく考案されうることが理解されるべきである。
【００２１】
［００２４］最初の特許請求の範囲に示されるもののとは異なるやり方で組み合わせられることができるさまざまな従属請求項及び特徴が認識される。個々の実施形態に関連して述べられた特徴が、説明された実施形態の他のものと共有されてよいこともまた認識される。
【００２２】
異なる実施形態  
［００２５］インプラント装置は、ハウジングと、ハウジング中に配置され、エネルギー消費装置に電気的に接続されるように構成されたエネルギー受信要素とを有する。インプラント装置は、動物の身体内に装着されるように構成されている。ハウジングは、動物の皮膚を通ってアクセス可能であり、エネルギー送信要素を含む外部充電器の対応する相手部材を受けるように構成された特徴を有する。エネルギー受信要素は、外部充電器がハウジングと噛み合ったときにエネルギー送信要素からエネルギーをワイヤレスで受信するように構成されている。
【００２３】
［００２６］段落番号［００２５］のインプラント装置では、エネルギー受信要素は、第１のコイルを含み、エネルギー送信要素は、第２のコイルを含み、第１のコイル及び第２のコイルは、それらの間でエネルギーを誘導的に送信するように構成されている。
【００２４】
［００２７］段落番号［００２５］のインプラント装置では、ハウジングの特徴は、動物の皮膚を越えて突出する。
【００２５】
［００２８］段落番号［００２５］のインプラント装置では、ハウジングの特徴は、窪みを含み、対応する相手部材は、窪みと噛み合うように構成されたボタンを含む。
【００２６】
［００２９］段落番号［００２５］のインプラント装置では、エネルギー受信要素は、ＲＦアンテナを有する。
【００２７】
［００３０］段落番号［００２５］のインプラント装置では、エネルギー受信要素は、超音波受信器を有する。
【００２８】
［００３１］段落番号［００２５］のインプラント装置では、エネルギー受信要素は、光受信器を有する。
【００２９】
［００３２］段落番号［００２５］のインプラント装置では、ハウジングは、それと外部充電器を取り外し可能に取り付けるように構成されている。
【００３０】
［００３３］段落番号［００３２］のインプラント装置では、ハウジングは、外部充電器をハウジングに取り外し可能に取り付けるための接着剤の層を含む。
【００３１】
［００３４］段落番号［００２５］のインプラント装置は、さらに、ハウジング中に配置されるエネルギー消費装置を含む。
【００３２】
［００３５］ワイヤレスエネルギー伝達システムは、動物の身体内に少なくとも部分的に装着されるように構成されたインプラント装置を含む。インプラント装置は、第１のハウジングと、第１のハウジング中に配置され、エネルギー消費装置に電気的に接続されるように構成されたエネルギー受信要素とを有する。第１のハウジングは、動物の皮膚を通ってアクセス可能であるように構成された特徴を有する。システムは、さらに、第２のハウジングと、第２のハウジング中に配置され、エネルギー源に電気的に接続されるように構成されたエネルギー送信要素とを有する外部充電装置を有する。第２のハウジングは、第１のハウジングの特徴と噛み合うように構成された相手部材を含む。第１のハウジングと第２のハウジングとが互いに噛み合ったとき、エネルギー送信要素は、エネルギー受信要素にエネルギーをワイヤレスで送信するように位置合わせされる。
【００３３】
［００３６］段落番号［００３５］のシステムは、さらに、第１のハウジング中に配置され、エネルギー受信要素に電気的に接続されるエネルギー消費装置を有する。
【００３４】
［００３７］段落番号［００３５］のシステムは、さらに、相手部材が第１のハウジングの特徴と噛み合ったときに第１のハウジングを第２のハウジングに取り付けるための手段を有する。
【００３５】
［００３８］段落番号［００３７］のシステムでは、前記手段は、第１のハウジングを第２のハウジングに取り付けるように構成された接着層を含む。
【００３６】
［００３９］段落番号［００３７］のシステムでは、前記手段は、第１のハウジング中に配置された第１の磁石と、第２のハウジング中の第２の磁石とを有する。
【００３７】
［００４０］段落番号［００３７］のシステムでは、前記手段は、第１のハウジングと第２のハウジングとを互いに取り付けるためのバヨネット・ナットコネクタを含む。
【００３８】
［００４１］段落番号［００３７］のシステムでは、前記手段は、第１のハウジングと第２のハウジングとを互いに取り付けるためのラッチ機構を含む。
【００３９】
［００４２］段落番号［００３５］のシステムでは、第１のハウジング及び第２のハウジングは、それらの間の遠隔データ通信のために構成されている。
【産業上の利用可能性】
【００４０】
［００４３］本発明は、限定的ではないが、埋め込み医療装置にエネルギーを供給するための、特に、外部電源から埋め込み医療装置へのワイヤレスエネルギー伝達に関する医療機器及び方法を含む、幅広い産業上の利用可能性を享受する。
【図１】
2017528246.tif 000003
【図２】
2017528246.tif 000004
【図３Ａ】
2017528246.tif 000005
【図３Ｂ】
2017528246.tif 000006
【手続補正書】
【提出日】平成29年5月16日(2017.5.16)
【手続補正１】
【補正対象書類名】特許請求の範囲
【補正対象項目名】全文
【補正方法】変更
【補正の内容】
【特許請求の範囲】
【請求項１】
エネルギー送信要素を有する外部充電器の対応する相手部材と物理的に結合するように構成された窪みを規定している突出部を含むハウジングと、
前記ハウジング中に配置されたエネルギー受信要素とを具備し、前記エネルギー受信要素は、エネルギー消費装置に電気的に接続されるように構成され、かつ、前記外部充電器が前記ハウジングと物理的に結合したときに前記エネルギー送信要素からエネルギーをワイヤレスで受信するように構成されている、インプラント装置。
【請求項２】
前記エネルギー受信要素は、第１のコイルを有し、前記エネルギー送信要素は、第２のコイルを有し、前記第１のコイル及び前記第２のコイルは、それらの間でエネルギーを誘導的に送信するように構成されている、請求項１に記載のインプラント装置。
【請求項３】
前記対応する相手部材は、前記窪みと噛み合うように構成されたボタンを含む、請求項１に記載のインプラント装置。
【請求項４】
前記エネルギー受信要素は、ＲＦアンテナを有する、請求項１に記載のインプラント装置。
【請求項５】
前記エネルギー受信要素は、超音波受信器を有する、請求項１に記載のインプラント装置。
【請求項６】
前記エネルギー受信要素は、光受信器を有する、請求項１に記載のインプラント装置。
【請求項７】
前記ハウジングは、前記ハウジングと前記外部充電器を取り外し可能に取り付けるように構成されている、請求項１に記載のインプラント装置。
【請求項８】
前記ハウジングは、前記外部充電器を前記ハウジングに取り外し可能に取り付けるための接着剤の層を含む、請求項７に記載のインプラント装置。
【請求項９】
前記ハウジング中に配置された前記エネルギー消費装置をさらに具備する、請求項１に記載のインプラント装置。
【請求項１０】
窪みを規定している突出部を含む第１のハウジングを有するインプラント装置と、
前記第１のハウジング中に配置され、エネルギー消費装置に電気的に接続されるように構成されたエネルギー受信要素と、
第２のハウジングを有する外部充電装置と、
前記第２のハウジング中に配置され、エネルギー源に電気的に接続されるよう構成されたエネルギー送信要素とを具備し、
前記第２のハウジングは、前記第１のハウジングの前記突出部と物理的に結合するように構成された相手部材を有し、前記第１のハウジングと前記第２のハウジングとが互いに物理的に結合したとき、前記エネルギー送信要素は、前記エネルギー受信要素にエネルギーをワイヤレスで送信するように位置合わせされる、ワイヤレスエネルギー伝達システム。
【請求項１１】
前記第１のハウジング中に配置され、前記エネルギー受信要素に電気的に接続される前記エネルギー消費装置をさらに具備する、請求項１０に記載のワイヤレスエネルギー伝達システム。
【請求項１２】
前記相手部材が前記第１のハウジングの前記突出部と噛み合ったときに前記第１のハウジングを前記第２のハウジングに取り付けるための手段をさらに具備する、請求項１０に記載のワイヤレスエネルギー伝達システム。
【請求項１３】
前記手段は、前記第１のハウジングを前記第２のハウジングに取り付けるように構成された接着層を含む、請求項１２に記載のワイヤレスエネルギー伝達システム。
【請求項１４】
前記手段は、前記第１のハウジング中に配置された第１の磁石と、前記第２のハウジング中の第２の磁石とを有する、請求項１２に記載のワイヤレスエネルギー伝達システム。
【請求項１５】
前記手段は、前記第１のハウジング及び前記第２のハウジングを互いに取り付けるためのバヨネット・ナットコネクタを含む、請求項１２に記載のワイヤレスエネルギー伝達システム。
【請求項１６】
前記手段は、前記第１のハウジング及び前記第２のハウジングを互いに取り付けるためのラッチ機構を含む、請求項１２に記載のワイヤレスエネルギー伝達システム。
【請求項１７】
前記第１のハウジングは、プロセッサと送信器とを有し、前記第２のハウジングは、プロセッサと受信器とを有し、前記プロセッサ、送信器及び受信器は、前記第１のハウジングと前記第２のハウジングとの間で遠隔データ通信をするように構成されている、請求項１０に記載のワイヤレスエネルギー伝達システム。
【手続補正２】
【補正対象書類名】明細書
【補正対象項目名】００４０
【補正方法】変更
【補正の内容】
【００４０】
［００４３］本発明は、限定的ではないが、埋め込み医療装置にエネルギーを供給するための、特に、外部電源から埋め込み医療装置へのワイヤレスエネルギー伝達に関する医療機器及び方法を含む、幅広い産業上の利用可能性を享受する。
出願当初の特許請求の範囲に記載された事項をそのまま以下に付記する。
［１］ハウジングと、前記ハウジング中に配置され、エネルギー消費装置に電気的に接続されるように構成されたエネルギー受信要素とを具備するインプラント装置であって、前記インプラント装置は、動物の身体内に装着されるように構成され、前記ハウジングは、前記動物の皮膚を通ってアクセス可能であり、エネルギー送信要素を含む外部充電器の対応する相手部材を受けるように構成された特徴を有し、前記エネルギー受信要素は、前記外部充電器が前記ハウジングと噛み合ったときに前記エネルギー送信要素からエネルギーをワイヤレスで受信するように構成されている、インプラント装置。
［２］前記エネルギー受信要素は、第１のコイルを有し、前記エネルギー送信要素は、第２のコイルを有し、前記第１のコイル及び前記第２のコイルは、それらの間でエネルギーを誘導的に送信するように構成されている、［１］に記載のインプラント装置。
［３］前記ハウジングの前記特徴は、前記動物の皮膚を越えて突出する、［１］に記載のインプラント装置。
［４］前記ハウジングの前記特徴は、窪みを含み、前記対応する相手部材は、前記窪みと噛み合うように構成されたボタンを含む、［１］に記載のインプラント装置。
［５］前記エネルギー受信要素は、ＲＦアンテナを有する、［１］に記載のインプラント装置。
［６］前記エネルギー受信要素は、超音波受信器を有する、［１］に記載のインプラント装置。
［７］前記エネルギー受信要素は、光受信器を有する、［１］に記載のインプラント装置。
［８］前記ハウジングは、それと前記外部充電器を取り外し可能に取り付けるように構成されている、［１］に記載のインプラント装置。
［９］前記ハウジングは、前記外部充電器を前記ハウジングに取り外し可能に取り付けるための接着剤の層を含む、［８］に記載のインプラント装置。
［１０］前記ハウジング中に配置された前記エネルギー消費装置をさらに具備する、［１］に記載のインプラント装置。
［１１］動物の身体内に少なくとも部分的に装着されるように構成され、第１のハウジングを有するインプラント装置と、前記第１のハウジング中に配置され、エネルギー消費装置に電気的に接続されるように構成されたエネルギー受信要素とを具備するワイヤレスエネルギー伝達システムであって、前記第１のハウジングは、前記動物の皮膚を通ってアクセス可能であるように構成された特徴を有し、前記システムは、さらに、第２のハウジングを有する外部充電装置と、前記第２のハウジング中に配置され、エネルギー源に電気的に接続されるよう構成されたエネルギー送信要素とを具備し、前記第２のハウジングは、前記第１のハウジングの前記特徴と噛み合うように構成された相手部材を有し、前記第１のハウジングと前記第２のハウジングとが互いに噛み合ったとき、前記エネルギー送信要素は、前記エネルギー受信要素にエネルギーをワイヤレスで送信するように位置合わせされる、ワイヤレスエネルギー伝達システム。
［１２］前記第１のハウジング中に配置され、前記エネルギー受信要素に電気的に接続される前記エネルギー消費装置をさらに具備する、［１１］に記載のワイヤレスエネルギー伝達システム。
［１３］前記相手部材が前記第１のハウジングの前記特徴と噛み合ったときに前記第１のハウジングを前記第２のハウジングに取り付けるための手段をさらに具備する、［１１］に記載のワイヤレスエネルギー伝達システム。
［１４］前記手段は、前記第１のハウジングを前記第２のハウジングに取り付けるように構成された接着層を含む、［１３］に記載のワイヤレスエネルギー伝達システム。
［１５］前記手段は、前記第１のハウジング中に配置された第１の磁石と、前記第２のハウジング中の第２の磁石とを有する、［１３］に記載のワイヤレスエネルギー伝達システム。
［１６］前記手段は、前記第１のハウジング及び前記第２のハウジングを互いに取り付けるためのバヨネット・ナットコネクタを含む、［１３］に記載のワイヤレスエネルギー伝達システム。
［１７］前記手段は、前記第１のハウジング及び前記第２のハウジングを互いに取り付けるためのラッチ機構を含む、［１３］に記載のワイヤレスエネルギー伝達システム。
［１８］前記第１のハウジング及び前記第２のハウジングは、それらの間の遠隔データ通信のために構成されている、［１１］に記載のワイヤレスエネルギー伝達システム。
【国際調査報告】
2017528246.tif 000007
2017528246.tif 000008